(57)【要約】【課題】  無線認識リーダー用アダプタを提供する。【解決手段】  本発明の無線認識リーダー用アダプタは、無線認識リーダーにユーザ端末を装着する無線認識リーダー用アダプタであって、下部に無線認識リーダーが締結される締結フレーム；及び前記締結フレームの上側から締結され、上部にユーザ端末が装着され、所定の弾性を持つ弾性部と、前記弾性部に連結されて加圧されることにより、前記弾性部を上下に移動させる加圧部とを備えるブラケット；を含んでなる。【選択図】図１
2020191065.tif 000002
【特許請求の範囲】
【請求項１】
無線認識リーダーにユーザ端末を装着する無線認識リーダー用アダプタであって、
下部に無線認識リーダーが締結される締結フレーム；及び
前記締結フレームの上側から締結され、上部にユーザ端末が装着され、所定の弾性を持つ弾性部と、前記弾性部に連結されて加圧されることにより、前記弾性部を上下に移動させる加圧部とを備えるブラケット；を含んでなる、無線認識リーダー用アダプタ。
【請求項２】
前記締結フレームは、
前記弾性部の下側に上方に突設される固定ブロック；及び
前記加圧部の下側に前記加圧部と所定の間隔だけ離隔するように凹設される陥没部；を含む、請求項１に記載の無線認識リーダー用アダプタ。
【請求項３】
前記ブラケットは、
前記弾性部の下面に突設され、前記ブラケットが前記締結フレームに締結された状態で一面が前記固定ブロックの他面に接触する突起部;を含み、
前記突起部が前記固定ブロックに接触した状態で、前記加圧部が加圧されることにより前記弾性部が上昇し、前記突起部が前記固定ブロックから離隔する、請求項２に記載の無線認識リーダー用アダプタ。
【請求項４】
前記弾性部は、両端が連結されないように折曲形成される第１スリットの内側に形成され、
前記加圧部は、両端が連結されないように折曲形成される第２スリットの内側に形成される、請求項３に記載の無線認識リーダー用アダプタ。
【請求項５】
前記締結フレームの上面には、
両側に長さ方向に沿って突設される整列部；
前記整列部の上部に連結されて内側に突設される突出部；及び
前記突出部の後面及び前記整列部の内側面に連結されるストッパ；が形成される、請求項４に記載の無線認識リーダー用アダプタ。
【請求項６】
前記ブラケットの下面には、
前記整列部の内側壁に沿ってガイドされてスライドされ、前記ストッパに当接してスライドが中断される係止部；を含む、請求項５に記載の無線認識リーダー用アダプタ。
【請求項７】
前記ストッパと前記固定ブロックとの間で、
前記係止部は前記ストッパに接触し、前記突起部は前記固定ブロックに接触することにより、前記締結フレームと前記ブラケットとが固定される、請求項６に記載の無線認識リーダー用アダプタ。
【発明の詳細な説明】
【技術分野】
【０００１】
本発明は、無線認識リーダー用アダプタに関する。
【背景技術】
【０００２】
ＲＦＩＤ（Ｒａｄｉｏ  Ｆｒｅｑｕｅｎｃｙ  Ｉｄｅｎｔｉｆｉｃａｔｉｏｎ）とは、製品に付けるタグ（Ｔａｇ）に生産、流通、保管、消費の全過程についての情報を書き込み、自体のアンテナを備えており、リーダー（Ｒｅａｄｅｒ）がタグ（Ｔａｇ）の情報を読み取り、人工衛星または移動通信網に連携して情報システムと統合して使用される活動またはチップをいう。
【０００３】
移動通信の発達とリアルタイム処理への要求が高まるにつれて、ＲＦＩＤタグの読み取りが可能な移動通信端末にＲＦＩＤリーダーを取り付ける装置が開発されている。
【０００４】
従来は、移動通信端末にリーダーを装着するためには、磁石を用いてリーダーを移動通信端末の背面に取り付ける。このような構成によれば、磁石の磁場が読み取り装置または移動通信端末に影響するので、たとえ磁場遮蔽の役割を果たす鉄板を取り付けても、依然として誤作動のおそれがある。また、磁石を用いた付着程度が強固でないため、使用途中で移動通信端末に対するリーダーの方向がずれたり、リーダーが移動通信端末から分離されたりし易いので、使用が容易ではない。
【０００５】
また、無線移動通信端末の急速な普及により、ほとんどの人々は、端末を１〜２個ずつ常に所持しているが、このような無線移動通信端末を用いて取引の際に代金を決済する方法は、インターネット上で行われる少額決済に使用されるのが通常であり、その料金請求の方式も端末の使用料金に合算して請求されるのが通常である。よって、大部分の国民が所持している個人の無線移動通信端末を用いてＲＦＩＤタグを読み取ることができるリーダーシステムの技術が求められている。すなわち、ユーザが所持している端末を装着して用いることができるリーダー装置が必要である。
【先行技術文献】
【特許文献】
【０００６】
【特許文献１】韓国実用新案登録第２０−０３５５３５７号公報
【発明の概要】
【発明が解決しようとする課題】
【０００７】
本発明の一実施形態は、ＲＦＩＤリーダーに対してユーザ端末を容易に着脱することができる無線認識リーダー用アダプタを提供することを目的とする。
本発明の他の目的は、携帯が可能なＲＦＩＤリーダーモジュールを提供する無線認識リーダー用アダプタを提供することにある。
【課題を解決するための手段】
【０００８】
本発明の一実施形態によれば、無線認識リーダーにユーザ端末を装着する無線認識リーダー用アダプタであって、下部に無線認識リーダーが締結される締結フレーム；及び前記締結フレームの上側から締結され、上部にユーザ端末が装着され、所定の弾性を持つ弾性部と、前記弾性部に連結されて加圧されることにより、前記弾性部を上下に移動させる加圧部とを備えるブラケット；を含んでなる無線認識リーダー用アダプタを提供する。
【０００９】
前記締結フレームは、前記弾性部の下側に上方に突設される固定ブロック；及び前記加圧部の下側に前記加圧部と所定の間隔を持つように凹設される陥没部；を含み得る。
【００１０】
また、前記ブラケットは、前記弾性部の下面に突設され、前記ブラケットが前記締結フレームに締結された状態で一面が前記固定ブロックの他面に接触する突起部；を含み、前記突起部が前記固定ブロックに接触した状態で、前記加圧部が加圧されることにより前記弾性部が上昇して、前記突起部が前記固定ブロックから離隔し得る。
【００１１】
また、前記弾性部は、両端が連結されないように折曲形成される第１スリットの内側に形成され、前記加圧部は、両端が連結されないように折曲形成される第２スリットの内側に形成され得る。
【００１２】
また、前記締結フレームの上面には、両側に長さ方向に沿って突設される整列部；前記整列部の上部に連結されて内側に突設される突出部；及び前記突出部の後面及び前記整列部の内側面に連結されるストッパ；が形成され得る。
【００１３】
また、前記ブラケットの下面には、前記整列部の内側壁に沿ってガイドされてスライドされ、前記ストッパに当接してスライドが中断される係止部；を含み得る。
【００１４】
また、前記ストッパと前記固定ブロックとの間で、前記係止部は前記ストッパに接触し、前記突起部は前記固定ブロックに接触することにより、前記締結フレームと前記ブラケットとが固定され得る。
【発明の効果】
【００１５】
本発明の一実施形態によれば、ＲＦＩＤリーダーに対してユーザ端末を容易に着脱することができる無線認識リーダー用アダプタを提供することができる。
また、本発明によれば、携帯が可能なＲＦＩＤリーダーモジュールを提供する無線認識リーダー用アダプタを提供することができる。
【図面の簡単な説明】
【００１６】
【図１】本発明の一実施形態に係る無線認識リーダー用アダプタの斜視図である。
【図２】本発明の一実施形態に係る無線認識リーダー用アダプタの分解斜視図である。
【図３】本発明の一実施形態に係るブラケットを示す図である。
【図４】本発明の一実施形態に係るブラケットを示す図である。
【図５】本発明の一実施形態に係る締結フレームを示す図である。
【図６】図１による無線認識リーダー用アダプタの断面図である。
【図７】図６の無線認識リーダー用アダプタが作動することを示す図である。
【図８】本発明の一実施形態に係る無線認識リーダー用アダプタがリーダーに締結された状態を示す図である。
【図９】リーダーの設置部を示す図である。
【図１０】本発明の一実施形態に係る締結フレームの下面を示す図である。
【図１１】本発明の一実施形態に係る無線認識リーダー用アダプタに作動部がさらに設置されたことを示す図である。
【図１２】本発明の一実施形態に係る無線認識リーダー用アダプタに作動部がさらに設置されたことを示す図である。
【図１３】本発明の一実施形態に係る無線認識リーダー用アダプタに作動部がさらに設置されたことを示す図である。
【図１４】本発明の一実施形態に係るブラケットの他の形態を示す図である。
【図１５】本発明の一実施形態に係るブラケットの他の形態を示す図である。
【発明を実施するための形態】
【００１７】
以下、添付図面を参照して、本発明の具体的な実施形態を説明する。しかし、これらの実施形態は、例示に過ぎず、本発明を限定するものではない。
【００１８】
本発明を説明するにあたり、本発明に関連する公知の技術についての具体的な説明が本発明の要旨を不要に曖昧にするおそれがあると判断された場合には、その詳細な説明を省略する。そして、後述する用語は、本発明における機能を考慮して定義された用語であって、これは、ユーザ、運用者の意図または慣例などによって異なり得る。したがって、その定義は、本明細書全般にわたった内容に基づいて下されるべきである。
【００１９】
本発明の技術的思想は、請求の範囲によって決定され、以下の実施形態は、本発明の技術的思想を、本発明の属する技術分野における通常の知識を有する者に効率よく説明するための一手段に過ぎない。
【００２０】
図１は本発明の一実施形態に係る無線認識リーダー用アダプタ１の斜視図、図２は本発明の一実施形態に係る無線認識リーダー用アダプタ１の分解斜視図である。
【００２１】
図１及び図２を参照すると、無線認識リーダー用アダプタ１は、ブラケット１０及び締結フレーム２０を含む。無線認識リーダー用アダプタ１は、無線認識リーダー１０００にユーザ端末を装着することができる。このとき、無線認識リーダー用アダプタ１は、無線認識リーダー１０００に対して容易に着脱が可能である。
【００２２】
ブラケット１０と締結フレーム２０とが締結された状態で、ブラケット１０にユーザ端末が装着され、締結フレーム２０が無線認識リーダー１０００に締結できる。具体的には、ブラケット１０は、上部にユーザ端末が装着され、下部に締結フレーム２０が締結できる。また、締結フレーム２０は、下部に無線認識リーダー１０００が締結できる。
ブラケット１０と締結フレーム２０とは、スライド方式で締結できる。
図３及び図４は本発明の一実施形態に係るブラケット１０を示す図である。
【００２３】
図３及び図４を参照すると、ブラケット１０は、弾性部１１、加圧部１２、第１スリット１１０、第２スリット１２０、突起部１３、係止部１４及び支持部１５を含むことができる。
【００２４】
ブラケット１０は、上面にユーザ端末が位置することができる。一例として、ブラケット１０は、一面における両側が折り曲げられる形で形成され、ユーザ端末の下面及び側面を包み込むことができる。
具体的には、ブラケット１０は、平面部１０１、側面部１０２及び段差部１０３を含むことができる。
【００２５】
平面部１０１は、ユーザ端末の下面を包む部分であり、側面部１０２は、平面部１０１の両側から折り曲げられる形で形成され、ユーザ端末の側面を包む部分である。
【００２６】
段差部１０３は、平面部１０１内の一領域に形成できる。段差部１０３は、平面部１０１に段差付くように下方に陥没する形で凹設できる。よって、平面部１０１にユーザ端末が位置したとき、段差部１０３は、ユーザ端末の下面から離隔した状態であり得る。
【００２７】
弾性部１１は、所定の弾性をもって形成できる。弾性部１１は、ブラケット１０の段差部１０３に形成できる。具体的には、弾性部１１は、両端が連結されないように折曲形成される第１スリット１１０によって形成できる。一例として、第１スリット１１０は「コ」字状に形成できる。このような第１スリット１１０の内側に弾性部１１が形成できる。
第１スリット１１０によって弾性部１１の複数の角がブラケット１０と離隔することにより、弾性部１１が所定の間隔内で上下に移動することができる。
【００２８】
加圧部１２は、ブラケット１０の段差部１０３において弾性部１１と連結されるように形成できる。加圧部１２が加圧されることにより、弾性部１１が所定の間隔内で上下に移動することができる。具体的には、加圧部１２は、両端が連結されないように折曲形成される第２スリット１２０によって形成できる。一例として、第２スリット１２０は、曲線形状であってもよく、「Ｕ」字状、または一部が開放された円形形状であってもよい。このような第２スリット１２０の内側に加圧部１２が形成できる。
【００２９】
また、加圧部１２は、段差部１０３で形成されるが、段差部１０３より上方に所定の高さだけ突出するように位置することができる。すなわち、加圧部１２は、段差部１０３の上面とブラケット１０の上面との間に位置するように突出することができる。
【００３０】
第２スリット１２０によって加圧部１２の周りの一部がブラケット１０と離隔することにより、加圧部１２が加圧される外部の力に応じて所定の間隔内で上下に移動可能である。
加圧部１２が下方に押される力を受ける場合、加圧部１２が下降しつつ、加圧部１２に連結された弾性部１１が所定の間隔だけ上昇する。
突起部１３は、弾性部１１の下面に突設できる。具体的には、突起部１３は、弾性部１１の他側に下方に突出するように設けられ得る。
突起部１３は、後述する締結フレーム２０の固定ブロック２１に接触することができる。
係止部１４は、ブラケット１０の平面部１０１の下面における段差部１０３の両側に位置することができる。
【００３１】
具体的には、一つ以上の係止部１４は、段差部１０３と所定の間隔だけ離隔して段差部１０３の両側に突設できる。例えば、二つの係止部１４が互いに離隔して段差部１０３の両側それぞれに配置できる。
係止部１４は、後述する締結フレーム２０の整列部２３及びストッパ２５と接触することができる。
【００３２】
支持部１５は、締結フレーム２０の整列部２３に接触して、ブラケット１０が締結フレーム２０に対してスライドされるとき、スライドを中断させることができる。これについての具体的な説明は後述する。
【００３３】
支持部１５は、前方に設けられた係止部１４に連結されて形成できる。このとき、支持部１５は、ブラケット１０の両側において係止部１４よりも外側に形成できる。
図５は本発明の一実施形態に係る締結フレーム２０を示す図である。
図５を参照すると、締結フレーム２０は、固定ブロック２１、陥没部２２、整列部２３、突出部２４、ストッパ２５及びガイド部２６を含むことができる。
固定ブロック２１は、締結フレーム２０の上面に突設できる。
【００３４】
また、固定ブロック２１は、ブラケット１０と締結フレーム２０とが締結された状態であるとき、弾性部１１の下側に位置することができる。この際、固定ブロック２１の他面（すなわち、後面）は、突起部１３の一面（すなわち、前面）に接触することができる。
固定ブロック２１の前面は傾くように形成され、固定ブロック２１の後面は垂直に形成され得る。
【００３５】
ブラケット１０と締結フレーム２０とが締結されるとき、ブラケット１０が締結フレーム２０から後方にスライドできる。このとき、ブラケット１０の突起部１３は、固定ブロック２１の前面傾斜に沿ってガイドされて弾性部１１が所定の高さだけ上昇した後、ブラケット１０が後方にさらにスライドされると、突起部１３が固定ブロック２１の後面に位置して、突起部１３の一面と固定ブロック２１の後面とが接触することができる。
【００３６】
垂直に形成された固定ブロック２１の後面と突起部１３の前面とが互いに接触することにより、ブラケット１０が締結フレーム２０から前方に移動することができない。よって、ブラケット１０と締結フレーム２０との締結状態が固定できる。
陥没部２２は、締結フレーム２０内で一領域が陥没して形成できる。陥没部２２は、固定ブロック２１の前方に位置することができる。
【００３７】
また、陥没部２２は、ブラケット１０と締結フレーム２０とが締結された状態であるとき、加圧部１２の下側で加圧部１２と所定の間隔だけ離隔するように形成できる。陥没部２２は、加圧された前記加圧部１２が下降することができる空間であり得る。
【００３８】
ブラケット１０を締結フレーム２０から脱着する場合、加圧部１２を下方に加圧することができる。加圧部１２が加圧されると、弾性部１１が所定の高さだけ上昇する。このとき、加圧部１２は陥没部２２側に下降し、弾性部１１は段差部側に上昇する。
【００３９】
弾性部１１が上側に変形することにより、弾性部１１の下部から突出した突起部１３も一緒に上昇する。突起部１３が上昇することにより、突起部１３と固定ブロック２１とは互いに非接触状態になることができる。
【００４０】
整列部２３は、締結フレーム２０の上面の両側に長さ方向に沿って突設できる。具体的には、整列部２３は、陥没部２２の両側それぞれに締結フレーム２０の長さ方向（すなわち、前後方向）に沿って突設できる。
【００４１】
整列部２３は、締結フレーム２０の上側からスライド締結されるブラケット１０のスライドをガイドすることができる。具体的には、ブラケット１０の係止部１４が整列部２３の内側壁に沿って移動するようにして、ブラケット１０のスライド移動をガイドすることができる。
【００４２】
突出部２４は、整列部２３の上部に連結されて内側に突設できる。一例として、二つの突出部２４は、互いに離隔し整列部２３の内側に突設できる。すなわち、突出部２４は、締結フレーム２０に対して水平方向に整列部２３の上部に連結されるように突設できる。
【００４３】
ストッパ２５は、突出部２４の後面及び整列部２３の内側面に連結できる。すなわち、ストッパ２５は、締結フレーム２０に対して垂直方向に形成できる。このとき、ストッパ２５は、突出部２４の後端に連結できる。
突出部２４とストッパ２５とは「┐」状を成すことができる。
【００４４】
ブラケット１０が締結フレーム２０上でスライドされて締結されるとき、ブラケット１０は前方側から後方にスライドできる。ブラケット１０の係止部１４が締結フレーム２０の整列部２３の内側壁に沿って前方から後方にスライド移動した後、係止部１４の後方端部のスライドがストッパ２５によって中断できる。このとき、ブラケット１０の支持部１５は、整列部２３の前方端部に接触して一直線上に位置することができる。
ガイド部２６は、陥没部２２の両側それぞれに配置されるが、整列部２３と所定の間隔だけ離隔して整列部２３よりも内側に突設できる。
【００４５】
ガイド部２６は、締結フレーム２０に締結されるブラケット１０のスライド移動をガイドすることができる。すなわち、整列部２３とガイド部２６との間で係止部１４が移動できる。
図６は図１による無線認識リーダー用アダプタ１の断面図、図７は図６の無線認識リーダー用アダプタ１が作動することを示す図である。
図６及び図７を参照すると、フレームは、締結フレーム２０上でスライド移動して締結できる。
【００４６】
具体的には、ブラケット１０の下面において前後方に所定の間隔だけ離隔配置された係止部１４が、締結フレーム２０上で前後方に所定の間隔だけ離隔配置された突出部２４と交差するように、ブラケット１０が締結フレーム２０上に位置することができる。このとき、係止部１４は、整列部２３とガイド部２６との間の間隔内に位置した状態である。
【００４７】
言い換えれば、ブラケット１０に配置された二つの係止部１４のうち、前方の係止部１４は、締結フレーム２０に配置された二つの突出部２４のうちの前方の突出部２４の前方に位置し、もう一つの係止部１４は、後方の突出部２４の前方に位置することができる。
【００４８】
この状態で、ブラケット１０が後方にスライド移動することができる。よって、係止部１４が突出部２４の下側に挿入されるように移動し、係止部１４がストッパ２５と衝突しながら係止部のスライドが中断できる。このとき、支持部１５は、整列部２３の前方端部に当接することができる。
【００４９】
このような状態の場合、上述したように、ブラケット１０の突起部１３は、固定ブロック２１の前面傾斜に沿ってガイドされて弾性部１１が所定の高さだけ上昇した後、ブラケット１０が後方にさらにスライドされると、突起部１３が固定ブロック２１の後面に位置して、突起部１３の一面と固定ブロック２１の後面とが接触することができる。
【００５０】
垂直に設けられた固定ブロック２１の後面と突起部１３の前面とが互いに接触することにより、ブラケット１０が締結フレーム２０から前方に移動することができない。よって、ブラケット１０と締結フレーム２０との締結状態が固定できる。
【００５１】
また、上述したように、ブラケット１０を締結フレーム２０から着脱する場合には、加圧部１２を下方に加圧することができる。加圧部１２が加圧されると、弾性部１１が所定の高さだけ上昇する。このとき、加圧部１２は陥没部２２側に下降し、弾性部１１は段差部側に上昇する。弾性部１１が上側に変形することにより、弾性部１１の下部から突出した突起部１３も一緒に上昇する。突起部１３が上昇することにより、突起部１３と固定ブロック２１とは互いに非接触状態になることができる。
この状態で、ブラケット１０が前方にスライド移動して締結フレーム２０に対して着脱できる。
【００５２】
図８は本発明の一実施形態に係る無線認識リーダー用アダプタ１がリーダーに締結された状態を示す図、図９はリーダーの設置部を示す図、図１０は本発明の一実施形態に係る締結フレーム２０の下面を示す図である。
図８乃至図１０を参照すると、リーダーは認識部、ハンドル部及び設置部を含むことができる。認識部は、他の装置から信号を受信することができる。
【００５３】
本発明の一実施形態に係る無線認識リーダー１０００は、銃状に形成できる。このとき、ユーザがユーザ端末のディスプレイへ伝送される情報の読み取りを容易にするために無線認識リーダー用アダプタ１が設置される設置部は、上部に形成できる。
具体的には、図９を参照すると、設置部には陽刻部及び挿入溝が形成できる。
【００５４】
陽刻部は、締結フレーム２０が配置される領域内で複数個が形成できる。一例として、陽刻部は、周辺に溝が形成された形態であり得る。また、陽刻部は、円形形状をし、４つの頂点に形成できる。
挿入溝は、締結フレーム２０が配置される領域内で長さ方向に形成できる。
このような設置部に締結フレーム２０が締結されることにより、締結フレーム２０が無線認識リーダー１０００に締結できる。
締結フレーム２０の下面には、陰刻部２７及び締結部２８が形成できる。
陰刻部２７は、設置部に形成された陽刻部に対応する形状及び位置に形成され、陽刻部に挿入されて固定できるサイズを有する。
締結部２８は、挿入溝に挿入できるように突設できる。締結部２８は、挿入溝の形状、位置およびサイズに対応するように形成できる。
【００５５】
したがって、締結フレーム２０の陰刻部２７に設置部の陽刻部が挿入されて固定され、締結フレーム２０の締結部２８が設置部の挿入溝に挿入されて固定され、無線認識リーダー１０００の設置部に締結フレーム２０が固定されることにより、無線認識リーダー１０００に無線認識リーダー用アダプタが固定できる。
図１１乃至図１３は本発明の一実施形態に係る無線認識リーダー用アダプタ１に作動部３０がさらに設置されたことを示す図である。
図１１乃至図１３を参照すると、作動部３０は、ブラケット１０にユーザ端末が装着された状態で加圧部１２が下方に加圧されるようにすることができる。
作動部３０は、連結バー３１、偏心回転部３２、シャフト３３及び把持部３４を含むことができる。
連結バー３１は、加圧部１２の下側に連結され、偏心回転部３２に連結できる。
偏心回転部３２は、連結バー３１の下部に連結できる。
シャフト３３は、偏心回転部３２に連結されるが、シャフト３３の重点が偏心回転部３２の重点から外れるようにシャフト３３が偏心回転部３２に連結できる。
シャフト３３が回転するとき、偏心回転部３２が回転することができる。
把持部３４は、シャフト３３の端部に配置できる。把持部３４は、ブラケット１０と締結フレーム２０の前方端部よりも突出することができる。
【００５６】
ブラケット１０にユーザ端末が装着された状態で、把持部３４を一方向に回転させる場合には、シャフト３３が回転しながら偏心回転部３２が一方向に所定の距離だけ回転する。偏心回転部３２が回転することにより、連結部が引っ張られながら加圧部１２が下方に加圧できる。
【００５７】
このように、作動部３０が加圧部１２を下方に加圧させることにより、突起部１３が固定ブロック２１と非接触して、ブラケット１０と締結フレーム２０とが着脱可能な状態になることができる。
図１４及び図１５は本発明の一実施形態に係るブラケット１０の他の形態を示す図である。
【００５８】
図１４及び図１５を参照すると、ブラケット１０は、ユーザ端末の形態に応じて様々な形状に形成できる。ただし、上述した弾性部１１、加圧部１２、係止部１４及び支持部１５は、同様に形成できるが、ブラケット１０の平面部１０１及び側面部１０２は、ユーザ端末の形状に対応するように形成できる。
【００５９】
以上、本発明の代表的な実施形態を詳細に説明したが、本発明の属する技術分野における通常の知識を有する者は、上述した実施形態について本発明の範囲から逸脱しない範囲内で様々な変形が可能であることを理解するであろう。よって、本発明の権利範囲は、説明された実施形態に限定されて定められてはならず、後述する特許請求の範囲だけでなく、この特許請求の範囲と均等なものによって定められるべきである。
【符号の説明】
【００６０】
１    無線認識リーダー用アダプタ
１０    ブラケット
１０１    平面部
１０２    側面部
１０３    段差部
１１    弾性部
１２    加圧部
１３    突起部
１４    係止部
１５    支持部
１１０    第１スリット
１２０    第２スリット
２０    締結フレーム
２１    固定ブロック
２２    陥没部
２３    整列部
２４    突出部
２５    ストッパ
２６    ガイド部
２７    陰刻部
２８    締結部
３０    作動部
３１    連結バー
３２    偏心回転部
３３    シャフト
３４    把持部
１０００    リーダー
１１００    認識部
１２００    ハンドル部
１３００    設置部
１３０１    陽刻部
１３０２    挿入溝
【図１】
2020191065.tif 000003
【図２】
2020191065.tif 000004
【図３】
2020191065.tif 000005
【図４】
2020191065.tif 000006
【図５】
2020191065.tif 000007
【図６】
2020191065.tif 000008
【図７】
2020191065.tif 000009
【図８】
2020191065.tif 000010
【図９】
2020191065.tif 000011
【図１０】
2020191065.tif 000012
【図１１】
2020191065.tif 000013
【図１２】
2020191065.tif 000014
【図１３】
2020191065.tif 000015
【図１４】
2020191065.tif 000016
【図１５】
2020191065.tif 000017